(57)【要約】      （修正有）【課題】女性の陰道にはっきりとコンドーム上の被覆物の存在を感じさせると共に、マッサージ効果を発揮させて女性の性的な喜びを大幅に増大させるコンドームを提供する。【解決手段】コンドームの特定区域２に挟み層を設け、この特定区域２の周辺を封止して収容空間を封鎖形成し、この収容空間内に固体物よりなる被覆物３を設置する。【選択図】図１
0003117430.tif 000002
【実用新案登録請求の範囲】
【請求項１】
コンドーム本体の特定区域に挟み層が設けられ、前記特定区域の周辺が封止されて収容空間が封鎖形成されると共に、該収容空間内に固体物よりなる被覆物が移動可能に収容されてなることを特徴とするコンドーム。
【請求項２】
前記特定区域の数が１つまたは複数である請求項１に記載のコンドーム。
【請求項３】
前記被覆物の辺縁部が丸みを帯びたものであることを特徴とする請求項１又は２に記載のコンドーム。
【請求項４】
前記被覆物を剛性体としたことを特徴とする請求項１に記載のコンドーム。
【請求項５】
前記被覆物を軟性体としたことを特徴とする請求項１に記載のコンドーム。
【請求項６】
コンドーム本体の特定区域に挟み層が設けられ、前記特定区域の周辺が封止されて収容空間が封鎖形成されると共に、該収容空間内に液体物よりなる被覆物が収容されてなることを特徴とするコンドーム。
【考案の詳細な説明】
【技術分野】
【０００１】
本考案は、コンドームに関し、詳しくは、特定区域内に液体物または固体物よりなる被覆物を収容したコンドームに関する。
【背景技術】
【０００２】
性行為の楽しみを向上するため、現在コンドームにはさまざまなスタイルのものがあり、夜光型コンドームや顆粒突起を備えたコンドーム、バイブレーション機能付きコンドーム等の付加的機能を備えたものもある。このようなコンドームの特殊な設計により、男女双方がより充分に性行為を楽しむことができる。ところで、従来の顆粒突起を備えたコンドームは、コンドームのカバー体表面に一体成型にて突起状の固定式顆粒突起を設けたもので、使用時にこの突起状の顆粒突起が補助的マッサージ効果を形成して女性の陰道を刺激し、女性をより楽しませることができるものである。
【考案の開示】
【考案が解決しようとする課題】
【０００３】
しかしながら、このような固定式顆粒突起はコンドーム上の位置が固定されているため、使用時に顆粒突起そのものがコンドームに相対して移動することができず、このため女性の陰道に対するマッサージ・刺激効果も低いものであった。このほか、固定式の顆粒突起は陰道に対して垂直にマッサージを行うことができず、使用時に女性が容易にその顆粒突起の存在を感じ取ることができないものであった。
【０００４】
そこで、本考案の目的は、女性の陰道にはっきりとコンドーム上の被覆物の存在を感じさせると共に、マッサージ効果を発揮させて女性の性的な喜びを大幅に増大させることのできるコンドームを提供することにある。
【課題を解決するための手段】
【０００５】
請求項１に係るコンドームは、上記課題を解決するために、コンドーム本体の特定区域に挟み層が設けられ、前記特定区域の周辺が封止されて収容空間が封鎖形成されると共に、該収容空間内に固体物よりなる被覆物が移動可能に収容されてなることを特徴とする。
【０００６】
コンドームの特定区域は、女性の陰道内の敏感な部位に対応させて設置するが、それに限らない。被覆物は、収容空間内で移動可能とするか、または、収容空間内にきつく挟み込まれた状態とすることができる。被覆物は、剛性または軟性の材質とし、その形状は球形、楕円形、棒型またはその他不規則な形状とするが、これらに限らない。上述の収容空間に収容する被覆物に収容空間内で別途潤滑剤を添加してもよい。
【０００７】
請求項２に係るコンドームは、請求項１に係るコンドームにおいて、前記特定区域の数が１つまたは複数であることを特徴とするものである。請求項３に係るコンドームは、請求項１又は２に係るコンドームにおいて、前記被覆物の辺縁部が丸みを帯びたものであることを特徴とするものである。
【０００８】
請求項４に係るコンドームは、請求項１に係るコンドームにおいて、前記被覆物を剛性体としたことを特徴とするものである。請求項５に係るコンドームは、請求項１に係るコンドームにおいて、前記被覆物を軟性体としたことを特徴とするものである。
【０００９】
請求項６に係るコンドームは、コンドーム本体の特定区域に挟み層が設けられ、前記特定区域の周辺が封止されて収容空間が形成されると共に、該収容空間内に液体物よりなる被覆物が収容されてなることを特徴とする。なお、上述の収容空間内の液体物は水とすることができる。
【考案の効果】
【００１０】
本考案の請求項１に係るコンドームによれば、コンドーム本体の特定区域に挟み層が設けられ、特定区域の周辺が封止されて収容空間が形成されると共に、該収容空間内に固体物よりなる被覆物が移動可能に収容されてなる構成としたので、使用時に、被覆物がコンドームと共に往復動作するので、女性の陰道にはっきりとコンドーム上の被覆物の存在を感じさせると共に、マッサージ効果を発揮させて女性の性的な喜びを大幅に増大させることができる。
【００１１】
請求項３に係るコンドームによれば、被覆物の辺縁部が丸みを帯びたものであるため、被覆物が滑動または軽く回転して動き、完全に異なる使用感を得ることができる。
【００１２】
請求項４に係るコンドームによれば、被覆物を剛性体としたため、陰道の刺激効果が高い。請求項５に係るコンドームによれば、被覆物を軟性体としたため、陰道の刺激効果が柔和なものとすることができる。
【００１３】
請求項６に係るコンドームによれば、被覆物を液体物としたので、陰道の刺激効果が柔軟で快適である。
【考案を実施するための最良の形態】
【００１４】
以下、本考案の実施の形態を図面に基いて詳細に説明する。図１は、本考案のコンドームの第１実施形態を示す側面図である。コンドーム１は、該コンドーム１の特定区域２に挟み層を設け、特定区域２の周辺を封止して収納空間が封鎖形成されている。収納空間内には剛性を有する球形の被覆物３が移動可能に収容されている。なお、挟み層を形成する上層と下層の材質はコンドーム１の材質と同じとする。この実施形態においては、被覆物３は球形で数量は１つとしてあり、特定区域２の収納空間内から脱落することはない。
【００１５】
図２は、本考案のコンドームにおける特定区域２と被覆物３の動きを示す部分拡大側面図である。図２に示すように、使用時には、被覆物３がコンドーム１と共に往復動作し、被覆物３が上述の特定区域２内で位置の移動や間歇性の回転等を行いその位置を変え、女性の陰道をマッサージする作用を奏する。
【００１６】
図３は、本考案のコンドームにおける特定区域２と別の被覆物を示す部分拡大側面図である。図３に示すように、被覆物３を単純な球形ものに代えて、符号３Ｂで示すように、剛性の球形の周面に複数の顆粒状突起を有するものとすると、使用時に、被覆物が滑動または軽く回転して動き、完全に異なる使用感が得られる。また、被覆物３を剛性の不規則な顆粒突起または楕円形とすると、被覆物が移動または回転すると、陰道の奥行き方向に対して垂直になり、強弱が異なる波形の作用力が形成され、充分に陰道をマッサージすることができる。
【００１７】
図４は、本考案のコンドームの第２実施形態を示す側面図である。特定区域は、図４の第２実施形態の特定区域２Ａに示すように、コンドーム１の周方向を取り巻くように環状に設けてもよく、特定区域２Ａ内に複数個の楕円形の被覆物３Ａを設けることもできる。上述の各実施形態における特定区域２は、その数を１つまたは複数とすることができ、且つ、特定区域２の面積はコンドーム１の大きさと同じ大きさまで広げることができる。または、特定区域の面積は、被覆物を包み込むだけの大きさまで小さくすることもできる。
【００１８】
図５は、本考案のコンドームの第３実施形態を示す側面図である。図５に示すように、コンドーム１Ｃ上に３つの特定区域２Ｃ、２Ｄ、２Ｅを設け、そのうち２つの特定区域２Ｃ、２Ｄの面積はやや大きく、球形の被覆物３Ｃ、３Ｄはその内部で位置を変えることができように収容させ、もう１つの特定区域２Ｅは面積がやや小さく、その内部に被覆物３Ｅが移動できないようにきつく包み込む。
【００１９】
なお、前述の特定区域２、２Ａ、２Ｂ、２Ｃ、２Ｄの面積が大きめのものは、被覆物３、３Ａ、３Ｂ、３Ｃ、３Ｄがその内部で円滑に位置を変えることを可能にするため、特定区域２、２Ａ、２Ｂ、２Ｃ、２Ｄ内に潤滑剤を注入してあってもよい。
【００２０】
また、図６は、本考案のコンドームの第４実施形態を示す側面図である。図６に示すように、コンドーム１Ｄ上の特定区域２Ｆ内に液体物４を設ける場合は、この液体物４は水とする。
【図面の簡単な説明】
【００２１】
【図１】本考案のコンドームの第１実施形態を示す側面図である。
【図２】本考案のコンドームにおける特定区域２と被覆物３の動きを示す部分拡大側面図である。
【図３】本考案のコンドームにおける特定区域２と別の被覆物を示す部分拡大側面図である。
【図４】本考案のコンドームの第２実施形態を示す側面図である。
【図５】本考案のコンドームの第３実施形態を示す側面図である。
【図６】本考案のコンドームの第４実施形態を示す側面図である。
【符号の説明】
【００２２】
１、１Ｃ、１Ｄ  コンドーム
２、２Ａ、２Ｂ、２Ｃ、２Ｄ、２Ｅ、２ｆ  特定区域
３、３Ａ、３Ｂ、３Ｃ、３Ｄ、３Ｅ  被覆物
４  液体物
【図１】
0003117430.tif 000003
【図２】
0003117430.tif 000004
【図３】
0003117430.tif 000005
【図４】
0003117430.tif 000006
【図５】
0003117430.tif 000007
【図６】
0003117430.tif 000008
【手続補正書】
【提出日】平成17年10月18日(2005.10.18)
【手続補正１】
【補正対象書類名】明細書
【補正対象項目名】全文
【補正方法】変更
【補正の内容】
【考案の詳細な説明】
【技術分野】
【０００１】
本考案は、コンドームに関し、詳しくは、特定区域内に液体物または固体物よりなる被覆物を収容したコンドームに関する。
【背景技術】
【０００２】
現在コンドームにはさまざまなスタイルのものがあり、夜光型コンドームや顆粒突起を備えたコンドーム、バイブレーション機能付きコンドーム等の付加的機能を備えたものもある。ところで、従来の顆粒突起を備えたコンドームは、コンドームのカバー体表面に一体成型にて突起状の固定式顆粒突起を設けたものであった。
【考案の開示】
【考案が解決しようとする課題】
【０００３】
しかしながら、このような固定式顆粒突起はコンドーム上の位置が固定されているため、使用時に顆粒突起そのものがコンドームに相対して移動することができないものであった。
【０００４】
そこで、本考案の目的は、従来の欠点を解消することのできるコンドームを提供することにある。
【課題を解決するための手段】
【０００５】
請求項１に係るコンドームは、上記課題を解決するために、コンドーム本体の特定区域に挟み層が設けられ、前記特定区域の周辺が封止されて収容空間が封鎖形成されると共に、該収容空間内に固体物よりなる被覆物が移動可能に収容されてなることを特徴とする。
【０００６】
被覆物は、収容空間内で移動可能とするか、または、収容空間内にきつく挟み込まれた状態とすることができる。被覆物は、剛性または軟性の材質とし、その形状は球形、楕円形、棒型またはその他不規則な形状とするが、これらに限らない。上述の収容空間に収容する被覆物に収容空間内で別途潤滑剤を添加してもよい。
【０００７】
請求項２に係るコンドームは、請求項１に係るコンドームにおいて、前記特定区域の数が１つまたは複数であることを特徴とするものである。請求項３に係るコンドームは、請求項１又は２に係るコンドームにおいて、前記被覆物の辺縁部が丸みを帯びたものであることを特徴とするものである。
【０００８】
請求項４に係るコンドームは、請求項１に係るコンドームにおいて、前記被覆物を剛性体としたことを特徴とするものである。請求項５に係るコンドームは、請求項１に係るコンドームにおいて、前記被覆物を軟性体としたことを特徴とするものである。
【０００９】
請求項６に係るコンドームは、コンドーム本体の特定区域に挟み層が設けられ、前記特定区域の周辺が封止されて収容空間が形成されると共に、該収容空間内に液体物よりなる被覆物が収容されてなることを特徴とする。なお、上述の収容空間内の液体物は水とすることができる。
【考案の効果】
【００１０】
本考案の請求項１に係るコンドームによれば、コンドーム本体の特定区域に挟み層が設けられ、特定区域の周辺が封止されて収容空間が形成されると共に、該収容空間内に固体物よりなる被覆物が移動可能に収容されてなる構成としたので、使用時に、被覆物がコンドームと共に往復動作でき、マッサージ効果を発揮できる。
【００１１】
請求項３に係るコンドームによれば、被覆物の辺縁部が丸みを帯びたものであるため、被覆物が滑動または軽く回転して動くことができる。
【考案を実施するための最良の形態】
【００１２】
以下、本考案の実施の形態を図面に基いて詳細に説明する。図１は、本考案のコンドームの第１実施形態を示す側面図である。コンドーム１は、該コンドーム１の特定区域２に挟み層を設け、特定区域２の周辺を封止して収納空間が封鎖形成されている。収納空間内には剛性を有する球形の被覆物３が移動可能に収容されている。なお、挟み層を形成する上層と下層の材質はコンドーム１の材質と同じとする。この実施形態においては、被覆物３は球形で数量は１つとしてあり、特定区域２の収納空間内から脱落することはない。
【００１３】
図２は、本考案のコンドームにおける特定区域２と被覆物３の動きを示す部分拡大側面図である。図２に示すように、使用時には、被覆物３がコンドーム１と共に往復動作し、被覆物３が上述の特定区域２内で位置の移動や間歇性の回転等を行いその位置を変え、マッサージする作用を奏する。
【００１４】
図３は、本考案のコンドームにおける特定区域２と別の被覆物を示す部分拡大側面図である。図３に示すように、被覆物３を単純な球形ものに代えて、符号３Ｂで示すように、剛性の球形の周面に複数の顆粒状突起を有するものとすると、使用時に、被覆物が滑動または軽く回転して動く。また、被覆物３を剛性の不規則な顆粒突起または楕円形とすると、被覆物が移動または回転すると、陰道の奥行き方向に対して垂直になり、強弱が異なる波形の作用力が形成される。
【００１５】
図４は、本考案のコンドームの第２実施形態を示す側面図である。特定区域は、図４の第２実施形態の特定区域２Ａに示すように、コンドーム１の周方向を取り巻くように環状に設けてもよく、特定区域２Ａ内に複数個の楕円形の被覆物３Ａを設けることもできる。上述の各実施形態における特定区域２は、その数を１つまたは複数とすることができ、且つ、特定区域２の面積はコンドーム１の大きさと同じ大きさまで広げることができる。または、特定区域の面積は、被覆物を包み込むだけの大きさまで小さくすることもできる。
【００１６】
図５は、本考案のコンドームの第３実施形態を示す側面図である。図５に示すように、コンドーム１Ｃ上に３つの特定区域２Ｃ、２Ｄ、２Ｅを設け、そのうち２つの特定区域２Ｃ、２Ｄの面積はやや大きく、球形の被覆物３Ｃ、３Ｄはその内部で位置を変えることができるように収容させ、もう１つの特定区域２Ｅは面積がやや小さく、その内部に被覆物３Ｅが移動できないようにきつく包み込む。
【００１７】
なお、前述の特定区域２、２Ａ、２Ｂ、２Ｃ、２Ｄの面積が大きめのものは、被覆物３、３Ａ、３Ｂ、３Ｃ、３Ｄがその内部で円滑に位置を変えることを可能にするため、特定区域２、２Ａ、２Ｂ、２Ｃ、２Ｄ内に潤滑剤を注入してあってもよい。
【００１８】
また、図６は、本考案のコンドームの第４実施形態を示す側面図である。図６に示すように、コンドーム１Ｄ上の特定区域２Ｆ内に液体物４を設ける場合は、この液体物４は水とする。
【図面の簡単な説明】
【００１９】
【図１】本考案のコンドームの第１実施形態を示す側面図である。
【図２】本考案のコンドームにおける特定区域２と被覆物３の動きを示す部分拡大側面図である。
【図３】本考案のコンドームにおける特定区域２と別の被覆物を示す部分拡大側面図である。
【図４】本考案のコンドームの第２実施形態を示す側面図である。
【図５】本考案のコンドームの第３実施形態を示す側面図である。
【図６】本考案のコンドームの第４実施形態を示す側面図である。
【符号の説明】
【００２０】
１、１Ｃ、１Ｄ  コンドーム
２、２Ａ、２Ｂ、２Ｃ、２Ｄ、２Ｅ、２Ｆ  特定区域
３、３Ａ、３Ｂ、３Ｃ、３Ｄ、３Ｅ  被覆物
４  液体物